(57)【要約】【課題】複数の給紙カセットの寿命を平均化するように給紙を行う場合であっても、印刷ジョブが中断する時間を抑制することが可能な画像形成装置等を提供する。【解決手段】本発明に係る画像形成装置は、記録媒体に画像を形成する画像形成装置であって、第１給紙部と、第２給紙部と、判定部と、給紙制御部とを備える。前記第１給紙部は、記録媒体を給紙する。前記第２給紙部は、記録媒体を給紙する。前記判定部は、第１給紙部の記録媒体の残量を示す第１残量と第２給紙部の記録媒体の残量を示す第２残量とが、予め設定された閾値を下回っているか否かを判定する。前記給紙制御部は、判定部の判定結果に基づいて第１給紙部と第２給紙部との一方が給紙するように、前記一方を制御する。【選択図】図２
2019196246.tif 000002
【特許請求の範囲】
【請求項１】
記録媒体に画像を形成する画像形成装置であって、
前記記録媒体を給紙する第１給紙部と、
前記記録媒体を給紙する第２給紙部と、
前記第１給紙部の前記記録媒体の残量を示す第１残量と前記第２給紙部の前記記録媒体の残量を示す第２残量とが、予め設定された閾値を下回っているか否かを判定する判定部と、
前記判定部の前記判定結果に基づいて前記第１給紙部と前記第２給紙部との一方が給紙するように、前記一方を制御する給紙制御部と
を備える、画像形成装置。
【請求項２】
前記判定部は、前記第１給紙部について予め設定された第１寿命値に対する前記第１給紙部の累積の給紙枚数の割合を示す第１消耗度と、前記第２給紙部について予め設定された第２寿命値に対する前記第２給紙部の累積の給紙枚数の割合を示す第２消耗度との大小を比較し、
前記給紙制御部は、前記判定部の前記比較結果に基づいて前記第１給紙部と前記第２給紙部との一方が給紙するように、前記一方を制御する、請求項１に記載の画像形成装置。
【請求項３】
前記第１残量又は前記第２残量が前記閾値を下回っていると前記判定部が判定した場合に、前記記録媒体の補充の要求を通知する通信部と、
前記補充の要求の通知から前記記録媒体の補充が完了するまでの補充時間を計時する計時部と、
前記補充時間と、単位時間に前記記録媒体に画像を形成する枚数とに基づいて、前記閾値を更新する閾値更新部と
をさらに備える、請求項１に記載の画像形成装置。
【請求項４】
前記通信部は、前記記録媒体に形成する画像を示す印刷データを受信し、
前記印刷データには、前記画像の形成に必要な前記記録媒体の印刷枚数を示す情報が含まれており、
前記判定部は、前記第１残量及び前記第２残量から前記印刷枚数を差し引いた値が、前記閾値を下回っているか否かを判定し、
前記通信部は、前記第１残量及び前記第２残量から前記印刷枚数を差し引いた値で判定した判定結果に基づいて、前記記録媒体の補充の要求を通知する、請求項３に記載の画像形成装置。
【請求項５】
第１給紙部と第２給紙部とを備える画像形成装置の給紙を制御する給紙制御方法であって、
前記第１給紙部の前記記録媒体の残量を示す第１残量と前記第２給紙部の前記記録媒体の残量を示す第２残量とが、予め設定された閾値を下回っているか否かを判定する判定ステップと、
前記判定ステップにおける前記判定結果に基づいて前記第１給紙部と前記第２給紙部との一方が給紙するように、前記一方を制御する給紙制御ステップと
を含む、給紙制御方法。
【請求項６】
第１給紙部と第２給紙部とを備える画像形成装置の給紙を制御するプログラムをコンピューターに実行させる給紙制御プログラムであって、
前記第１給紙部の前記記録媒体の残量を示す第１残量と前記第２給紙部の前記記録媒体の残量を示す第２残量とが、予め設定された閾値を下回っているか否かを判定する判定ステップと、
前記判定ステップにおける前記判定結果に基づいて前記第１給紙部と前記第２給紙部との一方が給紙するように、前記一方を制御する給紙制御ステップと
を含む、給紙制御プログラム。
【発明の詳細な説明】
【技術分野】
【０００１】
本発明は、画像形成装置、給紙制御方法及び給紙制御プログラムに関する。
【背景技術】
【０００２】
現在、複数の給紙カセットを備えるＭＦＰ（Ｍｕｌｔｉ  Ｆｕｎｃｔｉｏｎ  Ｐｅｒｉｐｈｅｒａｌ）、複写機又はプリンターにおいて、各給紙カセットの寿命を平均化するように給紙を制御する技術がある。この技術は、ＭＦＰ等のメンテナンスの効率を改善させ得る（例えば、特許文献１参照）。
【先行技術文献】
【特許文献】
【０００３】
【特許文献１】特開２００４−１４９２４２号公報
【発明の概要】
【発明が解決しようとする課題】
【０００４】
しかしながら、特許文献１の画像形成装置においては、同一の大きさの用紙のみを使用するユーザーの場合は、印刷ジョブが長時間中断されてしまうという問題が生じる。すなわち、同一の大きさの用紙のみを使用するユーザーの場合は、各給紙カセットが平均的に給紙され、全ての給紙カセットでほぼ同時に用紙切れが発生する。このため、全ての給紙カセットに用紙を補充する作業が必要となり、印刷ジョブが長時間中断する。
【０００５】
本発明は、上記課題に鑑みてなされたものであり、複数の給紙カセットの寿命を平均化するように給紙を制御しつつ、印刷ジョブが中断する時間を抑制することが可能な画像形成装置、給紙制御方法及び給紙制御プログラムを提供することを目的とする。
【課題を解決するための手段】
【０００６】
本発明に係る画像形成装置は、記録媒体に画像を形成する画像形成装置であって、第１給紙部と、第２給紙部と、判定部と、給紙制御部とを備える。前記第１給紙部は、記録媒体を給紙する。前記第２給紙部は、記録媒体を給紙する。前記判定部は、第１給紙部の記録媒体の残量を示す第１残量と第２給紙部の記録媒体の残量を示す第２残量とが、予め設定された閾値を下回っているか否かを判定する。前記給紙制御部は、判定部の判定結果に基づいて、第１給紙部と第２給紙部との一方が給紙するように、前記一方を制御する。
【０００７】
また、本発明に係る給紙制御方法は、第１給紙部と第２給紙部とを備える画像形成装置の給紙を制御する給紙制御方法であって、判定ステップと、給紙制御ステップとを含む。前記判定ステップでは、第１給紙部の記録媒体の残量を示す第１残量と第２給紙部の記録媒体の残量を示す第２残量とが、予め設定された閾値を下回っているか否かを判定する。前記給紙制御ステップでは、判定ステップにおける判定結果に基づいて、第１給紙部と第２給紙部との一方が給紙するように、前記一方を制御する。
【０００８】
また、本発明に係る給紙制御プログラムは、第１給紙部と第２給紙部とを備える画像形成装置の給紙を制御するプログラムをコンピューターに実行させる給紙制御プログラムであって、判定ステップと、給紙制御ステップとを含む。前記判定ステップでは、第１給紙部の記録媒体の残量を示す第１残量と第２給紙部の記録媒体の残量を示す第２残量とが、予め設定された閾値を下回っているか否かを判定する。前記給紙制御ステップでは、判定ステップにおける判定結果に基づいて、第１給紙部と第２給紙部との一方が給紙するように、前記一方を制御する。
【発明の効果】
【０００９】
本発明の画像形成装置によれば、複数の給紙カセットの寿命を平均化するように給紙を制御しつつ、印刷ジョブが中断する時間を抑制することができる。
【図面の簡単な説明】
【００１０】
【図１】本発明の実施形態に係る画像形成システムの概略を示す図である。
【図２】画像形成装置の構成を示すブロック図である。
【図３】端末装置の構成を示すブロック図である。
【図４】画像形成装置の記憶部に記憶される給紙に関する情報の一例である。
【図５】画像形成装置における給紙制御処理を示すフローチャートである。
【発明を実施するための形態】
【００１１】
以下、本発明の実施形態について、図面（図１〜図５）を参照しながら説明する。なお、図中、同一又は相当部分については同一の参照符号を付して説明を繰り返さない。
【００１２】
まず、図１を参照して画像形成システム１０について説明する。図１は、本発明の実施形態に係る画像形成システム１０の概略を示す図である。画像形成システム１０によれば、画像形成装置１００が備える複数の給紙カセットの寿命を平均化するように給紙を行いつつ、印刷ジョブが中断する時間を抑制することができる。
【００１３】
画像形成システム１０は、画像形成装置１００と、１又は複数の端末装置２００とを備えている。図１に示す画像形成システム１０は、３台の端末装置２００を備えている。なお、端末装置２００は、端末装置２００Ａ、端末装置２００Ｂ及び端末装置２００Ｃの総称である。
【００１４】
端末装置２００Ａは、ユーザーＡに対応付けられている。また、端末装置２００ＢとユーザーＢとの関係、並びに端末装置２００ＣとユーザーＣとの関係も、端末装置２００ＡとユーザーＡとの関係と同様である。
【００１５】
具体的には、画像形成装置１００及び端末装置２００は、ネットワーク５０を介して互いに通信可能に接続されている。例えば、画像形成装置１００及び端末装置２００の各々は、インターネット、ＬＡＮ（Ｌｏｃａｌ  Ａｒｅａ  Ｎｅｔｗｏｒｋ）、又は、ＷＡＮ（Ｗｉｄｅ  Ａｒｅａ  Ｎｅｔｗｏｒｋ）を介して通信可能に接続される。なお、画像形成装置１００と端末装置２００との間で近距離無線通信を行ってもよい。近距離無線通信は、例えば、ＢＬＵＥＴＯＯＴＨ（登録商標）方式による通信である。
【００１６】
画像形成装置１００は、端末装置２００から受信した印刷データに基づいて、記録媒体に画像を形成する。印刷データは、記録媒体（例えば、紙）に画像を形成することが可能なデータ形式で表される。印刷データは、画像の形成に必要な記録媒体の枚数（以下、「印刷枚数」ともいう。）を示す情報を含む。
【００１７】
端末装置２００は、ユーザーの指示に従い、画像形成装置１００に印刷データを送信する。端末装置２００は、例えば、パーソナルコンピューターである。
【００１８】
次に、図２を参照して、画像形成装置１００について説明する。図２は、画像形成装置１００の構成を示すブロック図である。
【００１９】
画像形成装置１００は、通信部１１０と、制御部１２０と、入出力部１３０と、給紙部１４０と、画像形成部１５０と、記憶部１６０とを備える。さらに、給紙部１４０は、第１給紙部１４１と、第２給紙部１４２と、第３給紙部１４３とを有する。なお、以下では、第１給紙部１４１〜第３給紙部１４３を「給紙カセット」ともいう。
【００２０】
制御部１２０が、記憶部１６０に格納された制御プログラムを実行することによって、画像形成装置１００が有する複数構成の各々の動作を制御する。画像形成装置１００は、例えば、複合機（ＭＦＰ：Ｍｕｌｔｉ  Ｆｕｎｃｔｉｏｎ  Ｐｅｒｉｐｈｅｒａｌ）、複写機又はプリンターである。
【００２１】
通信部１１０は、制御部１２０の指示に応じて、端末装置２００との間で各種情報を送受信する。特に、通信部１１０は、ネットワーク５０を介して、端末装置２００から送信された印刷データを受信し、制御部１２０に送信する。
【００２２】
制御部１２０は、通信部１１０を介して、端末装置２００から送信された印刷データを受信する。制御部１２０は、印刷データを受信すると、印刷データを画像形成部１５０に送信する。
【００２３】
さらに、制御部１２０は、第１給紙部１４１〜第３給紙部１４３の何れか１つが給紙を行うように、第１給紙部１４１〜第３給紙部１４３を制御する。さらに、制御部１２０は、第１給紙部１４１〜第３給紙部１４３の用紙の残量を示す第１残量〜第３残量の何れかが、予め設定された閾値を下回っているか否かを判定する。そして、制御部１２０は、第１残量〜第３残量の何れかが、予め設定された閾値を下回っていると判定した場合は、通信部１１０を介して端末装置２００に用紙の補充の要求を示すメッセージを端末装置２００に送信してもよい。
【００２４】
ここで、「閾値」とは、ユーザーが給紙部１４０に用紙を補充する際に要する補充時間の間に画像形成装置１００が処理可能な用紙の枚数をいう。例えば、画像形成装置１００の１分間の処理可能な枚数が「３０」とすると、閾値を「１５０」に設定した場合の補充時間は「５分」となる。
【００２５】
さらにまた、制御部１２０は、第１残量〜第３残量の何れかが閾値を下回っているか否かの判定結果に基づいて、第１給紙部１４１〜第３給紙部１４３の何れか１つが給紙するように制御する。
【００２６】
さらに、制御部１２０は、第１残量と第２残量と第３残量とから、印刷データに含まれている印刷枚数を差し引き、それらの値が閾値を下回っているか否かを判定してもよい。
【００２７】
さらに、制御部１２０は、第１消耗度と、第２消耗度と、第３消耗度とを比較する。そして、制御部１２０は、第１給紙部１４１〜第３給紙部１４３の何れも閾値を下回っていないと判定された場合に、第１消耗度〜第３消耗度のうち、最も小さい消耗度に対応する第１給紙部１４１、第２給紙部１４２又は第３給紙部１４３が給紙するように、第１給紙部１４１、第２給紙部１４２又は第３給紙部１４３を制御する。ここで、第１消耗度は、第１給紙部について予め設定された第１寿命値に対する第１給紙部の累積の給紙枚数の割合を示す値である。第２消耗度は、第２給紙部について予め設定された第２寿命値に対する第２給紙部の累積の給紙枚数の割合を示す値である。第３消耗度は、第３給紙部について予め設定された第３寿命値に対する第３給紙部の累積の給紙枚数の割合を示す値である。
【００２８】
さらにまた、制御部１２０は、第１残量〜第３残量のうちの何れかが閾値を下回っていると判定された場合に、通信部１１０を介して、用紙の補充の要求を端末装置２００に通知する。また、制御部１２０は、用紙の補充の要求通知から用紙の補充が完了するまでの時間である補充時間を計時する。さらにまた、制御部１２０は、補充時間と、単位時間に記録媒体に画像を形成する枚数とに基づいて、閾値を更新する。なお、制御部１２０は、判定部、給紙制御部、計時部及び閾値更新部の一例である。
【００２９】
なお、閾値は、補充時間を計時する毎に更新してもよいし、過去の複数の補充時間の平均値に基づいて更新してもよい。
【００３０】
入出力部１３０は、各種の情報をユーザーに提示するとともに、ユーザーから制御に関する指示を受け付ける。入出力部１３０は、例えばタッチパネルを有する液晶ディスプレーである。
【００３１】
給紙部１４０は、制御部１２０の指示により、記録媒体である用紙の給紙を行う。本実施形態においては、給紙部１４０は、複数の給紙部を備える。例えば、給紙部１４０は、第１給紙部１４１と、第２給紙部１４２と、第３給紙部１４３とを備える。
【００３２】
画像形成部１５０は、入出力部１３０を介してユーザーから受け付けたユーザーの指示、又は通信部１１０を介して端末装置２００から受信した印刷データに基づいて、記録媒体に画像を形成する。
【００３３】
記憶部１６０は、画像形成装置１００の動作に関する各種のデータ、制御に関する各種のデータ、及び制御プログラムを記憶する。さらに、記憶部１６０は、通信部１１０を介して受信した印刷データを記憶する。さらにまた、記憶部１６０は、ユーザーによって設定された閾値を記憶する。記憶部１６０は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）及び／又はソリッドステートドライブ（Ｓｏｌｉｄ  Ｓｔａｔｅ  Ｄｒｉｖｅ：ＳＳＤ）を備えていてもよい。
【００３４】
さらに、記憶部は、第１給紙部１４１と、第２給紙部１４２と、第３給紙部１４３とに対応付けて、給紙に関する情報を記憶する。給紙に関する情報としては、用紙サイズ、用紙残量、給紙枚数及び寿命値などがある。
【００３５】
次に、図３を参照して、端末装置２００について説明する。図３は、端末装置２００の構成を示すブロック図である。端末装置２００は、ユーザーに１対１に対応付けられている。端末装置２００は、例えば、パーソナルコンピューターである。端末装置２００は、通信部２１０と、制御部２２０と、入出力部２３０と、記憶部２４０とを備える。
【００３６】
通信部２１０は、画像形成装置１００との間で各種情報を送受信する。通信部２１０は、制御部２２０の指示に応じて、画像形成装置１００に印刷データを送信する。
【００３７】
制御部２２０は、端末装置２００の全体の動作を制御する。制御部２２０は、例えば、マイクロコンピューターであり、記憶部２４０に記憶された制御プログラムを実行することによって、端末装置２００における種々の制御を行う。
【００３８】
さらに、制御部２２０は、入出力部２３０を介して受け付けたユーザーの指示に基づいて、印刷データを生成する。さらにまた、制御部２２０は、入出力部２３０を介して受け付けたユーザーの指示に基づいて、生成された印刷データを画像形成装置１００に送信する。
【００３９】
入出力部２３０は、各種の情報をユーザーに提示する。さらに、入出力部２３０は、ユーザーから制御に関する指示を受け付ける。入出力部２３０は、例えば、タッチパネルを有する液晶ディスプレーである。
【００４０】
記憶部２４０は、端末装置２００の動作に関する各種のデータ、制御に関する各種のデータ、及び制御プログラムを記憶する。さらに、記憶部２４０は、制御部２２０において生成した印刷データを記憶する。記憶部２４０は、ＲＯＭ、ＲＡＭ、ＨＤＤ及び／又はＳＳＤを備えていてもよい。
【００４１】
図４は、記憶部３３０に記憶される給紙に関する情報の一例を示す図である。図４に示すように、ユーザー情報テーブル４００は、給紙カセットＮｏ．欄４０１と、用紙サイズ欄４０２と、用紙残量欄４０３と、給紙枚数欄４０４と、寿命値欄４０５とを有する。
【００４２】
給紙カセットＮｏ．欄４０１は、給紙カセットの番号を記憶する。用紙サイズ欄４０２は、各給紙カセットに収納されている用紙のサイズを記憶する。用紙残量欄４０３は、各給紙カセットに残存している用紙の枚数を記憶する。給紙枚数欄４０４は、過去に給紙した用紙の枚数の累積値を記憶する。寿命値欄４０５は、寿命値を記憶する。寿命値は、各給紙カセットを交換する目安となる給紙枚数である。寿命値は、給紙する用紙の種類やサイズなどにより変化する。各給紙カセットに収納する用紙の種類は、画像形成装置１００又は端末装置２００などからユーザーが設定可能である。また、用紙のサイズは、各給紙カセットに設けられた用紙サイズ検知手段により検知される。寿命値欄４０５には用紙種類の設定及び用紙サイズの検知に応じた寿命値が記憶される。
【００４３】
以下では、図４の具体例を参照しながら、制御部１２０における給紙制御処理について説明する。閾値は、例えば「１５０」とする。
【００４４】
例えば、第１給紙部１４１に対応する給紙カセット１の用紙残量が「１６０」、第２給紙部１４２に対応する給紙カセット２の用紙残量が「３００」、第３給紙部１４３に対応する給紙カセット３の用紙残量が「３５０」とする。この場合は、何れの用紙残量も閾値の「１５０」を超えているため、画像形成装置１００から端末装置２００に用紙補充の要求は通知されない。
【００４５】
ここで、各給紙カセットの消耗度の算出方法について説明する。給紙カセット１の消耗度は、１５０００／５０００００＝０．０３である。給紙カセット２の消耗度は、５０００／５０００００＝０．０１である。給紙カセット３の消耗度は、８０００／５０００００＝０．０１６である。したがって、この場合、制御部１２０は、給紙カセット２の消耗度が最も小さいため、給紙カセット２から給紙するように制御する。
【００４６】
なお、画像形成装置１００が、端末装置２００から２０枚の印刷を指示する印刷データを受信した場合は、給紙カセット１については、用紙残量「１６０」から「２０」を差し引いた値が閾値の「１５０」を下回ってしまうため、端末装置２００に用紙補充の要求を通知してもよい。
【００４７】
次に、図１〜図５を参照して、本実施形態の給紙制御処理について説明する。ここで、「給紙制御処理」とは、画像形成装置１００の制御部１２０が給紙部１４０に対して行う制御処理をいう。具体的には、制御部１２０は、給紙部１４０が有する複数の給紙カセットの寿命を平均化するように給紙を制御しつつ、印刷ジョブが中断する時間を抑制するように給紙部１４０を制御する。
【００４８】
図５は、制御部１２０による給紙制御処理を示すフローチャートである。給紙制御処理は、ステップＳ２〜Ｓ１８によって実行される。
【００４９】
ステップＳ２：制御部１２０は、通信部１１０を介して端末装置２００から印刷指示を受け付ける。なお、制御部１２０は、印刷指示に含まれる印刷枚数を取得してもよい。処理は、ステップＳ４に進む。
【００５０】
ステップＳ４：制御部１２０は、各給紙カセットの用紙残量を計数する。処理は、ステップＳ６に進む。
【００５１】
ステップＳ６：制御部１２０は、計数した各給紙カセットの用紙残量に基づいて、閾値を下回った給紙カセットがあるか否かを判定する。閾値を下回った給紙カセットがあると制御部１２０が判定した場合は（ステップＳ６でＹｅｓ）、制御部１２０は、閾値を下回った給紙カセットが給紙するように、閾値を下回った給紙カセットを制御する（ステップＳ８）。また、制御部１２０は、閾値を下回った給紙カセットに用紙補充の要求を端末装置２００に通知する（ステップＳ９）。続いて処理は、ステップＳ１６に進む。
【００５２】
一方、閾値を下回った給紙カセットがないと制御部１２０が判定した場合は（ステップＳ６でＮｏ）、制御部１２０は、全ての給紙カセットの給紙枚数及び寿命値を特定する（ステップＳ１０）。処理は、ステップＳ１２に進む。
【００５３】
ステップＳ１２：制御部１２０は、全ての給紙カセットの給紙枚数と寿命値とに基づいて、各給紙カセットの消耗度を算出する。処理は、ステップＳ１４に進む。
【００５４】
ステップＳ１４：制御部１２０は、各給紙カセットの消耗度を比較し、最小の消耗度の給紙カセットを特定する。処理は、ステップＳ１６に進む。
【００５５】
ステップＳ１６：制御部１２０は、ステップＳ１４で特定した給紙カセットが給紙するように、この特定した給紙カセットを制御するとともに、画像形成部１５０に印刷を実行するように指示する。処理は、ステップＳ１８に進む。
【００５６】
ステップＳ１８：制御部１２０は、記憶部１６０に記憶されている用紙残量と給紙枚数とを更新して、本給紙制御を終了する。
【００５７】
以上、図１〜図５を参照して説明したように、画像形成システム１０において給紙制御処理を実行することにより、複数の給紙カセットの寿命を平均化するように給紙を制御しつつ、印刷ジョブが中断する時間を抑制することが可能となる。
【００５８】
以上、図面を参照しながら本発明の各実施形態について説明した。ただし、本発明は、上記の実施形態に限られるものではなく、その要旨を逸脱しない範囲で種々の態様において実施することが可能である。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であり、特に限定されるものではなく、本発明の構成から実質的に逸脱しない範囲で種々の変更が可能である。
【００５９】
さらに、本発明は、本発明に係る画像形成装置の特徴的な構成手段をステップとする給紙制御方法として実現したり、それらのステップを含む給紙制御プログラムとして実現したりすることもできる。また、そのプログラムは、ＣＤ−ＲＯＭ等の記録媒体や通信ネットワーク等の伝送媒体を介して流通させることもできる。
【産業上の利用可能性】
【００６０】
本発明は、画像形成装置に関するものであり、産業上の利用可能性を有する。
【符号の説明】
【００６１】
１０      画像形成システム
１００    画像形成装置
１１０    通信部
１２０    制御部
１４０    給紙部
１４１    第１給紙部
１４２    第２給紙部
１４３    第３給紙部
２００，２００Ａ，２００Ｂ，２００Ｃ    端末装置
【図１】
2019196246.tif 000003
【図２】
2019196246.tif 000004
【図３】
2019196246.tif 000005
【図４】
2019196246.tif 000006
【図５】
2019196246.tif 000007